(57)【要約】【課題】イジェクトピンが挿入されるピン挿入孔が形成されたカードトレイを備えたカードコネクタであって、電子機器に搭載された状態において信頼性の高い防水構造を備える。【解決手段】カードコネクタを構成するカードトレイは、スライドピン５０が挿入されるピン挿入孔１２１ｃを塞いで広がるゴム製の防水部材１２２を備えている。その防水部材１２２の、ピン挿入孔１２１ｃを塞ぐ部分１２２ａが、ピン挿入孔１２１ｃに入り込んだ蛇腹形状に形成されている。ピン挿入孔１２１ｃにイジェクトピン５０が挿入されると、その蛇腹形状を崩しながらスライドバー１４を押してカードトレイを押し出させる。イジェクトピン５０を抜くと、あるいは、カードトレイを再び差し込むことでスライドバー１４で奥側から押されると、元の蛇腹形状に復帰する。【選択図】図８
2016031886.tif 000002
【特許請求の範囲】
【請求項１】
カードを載せ、電子機器筐体の外壁面と内壁面とに貫通する差込口を通って挿入／取出しの向きに往復スライド自在であって、挿入時に該電子機器筐体の外面の一部を成すカードトレイと、
前記電子機器筐体内部に配置され、前記カードトレイを受容する受容空間が形成されたハウジングと、
前記ハウジングに前記挿入／取出しの向きに往復スライド自在に支持されたスライドバーを含む、前記受容空間に受容された状態の前記カードトレイを取出しの向きに押し出すイジェクト機構とを備え、
前記カードトレイが、
カードを載せて前記受容空間に受容されるトレイ部と、該トレイ部が前記受容空間に受容された状態において前記差込口内に位置し、当該カードトレイを前記挿入の向きに見たときに該トレイ部を覆うとともに前記スライドバーの前面にまで延び、該スライドバーを前記挿入の向きに押すイジェクトピンが挿通するピン挿入孔が形成された立壁部とを有するトレイ本体と、
前記ピン挿入孔を塞ぐとともに前記立壁部周面を一周に亘って取り巻き、かつ、該ピン挿入孔にジェクトピンが挿入される際に該イジェクトピンと前記スライドバーとの間に介在しつつ該イジェクトピンによる該スライドバーの前記挿入の向きへの押込みを許容する防水部材とを備えたことを特徴とするカードコネクタ。
【請求項２】
前記防水部材の前記ピン挿入孔を塞ぐ部分が、前記立壁部前面から該ピン挿入孔内を前記挿入の向きに延びることで該ピン挿入孔に入り込み、該ピン挿入孔の、半径方向中央に向かう向きに折り返して前記取出しの向きに延び、該半径方向中央に向かう向きにさらに折り返し前記挿入の向きに延びて該挿入の向きに延びた先端が塞がれた蛇腹形状を成すことを特徴とする請求項１記載のカードコネクタ。
【請求項３】
前記防水部材が、前記ピン挿入孔を塞いで前記立壁部前面全域を覆い、該立壁部周面に折れ曲がって該立壁部周面を一周に亘って取り巻く形状を有することを特徴とする請求項１又は２記載のカードコネクタ。
【発明の詳細な説明】
【技術分野】
【０００１】
本発明は、カードトレイにメモリカード等のカードを載せて挿入しそのカードトレイを電子機器筐体の外面の一部として利用する、電子機器に内蔵されるカードコネクタに関する。
【背景技術】
【０００２】
上記の形態のカードコネクタが広く普及している。この形態のカードコネクタを構成するカードトレイの中には、電子機器筐体の外面を成す部分にピンが挿入される孔が設けられているタイプのものがある。このタイプのカードコネクタは、その孔にピンを挿入することによりカードトレイが電子機器筐体から突き出る向きにスライドして、そのカードトレイを電子機器から取り出すことができるように構成されている。
【０００３】
ここで、このタイプのカードコネクタは、電子機器筐体の、カードトレイが差し込まれる差込口とカードトレイとの間の隙間から、あるいは上記の孔から、電子機器筐体内に水が入り込む構造となっており、防水構造とすることが望まれている。
【０００４】
特許文献１には、上記のタイプのカードコネクタにおける上記の孔の中に、中央部に貫通孔を有するゴム材等の弾性部材を配置した構造が開示されている。そして、この特許文献１の説明では、その孔にピンが挿入されていない時にはその弾性部材の弾性でその貫通孔を閉鎖させ、ピン挿入時には、その貫通孔を押し広げながらピンを挿入するとされている。
【先行技術文献】
【特許文献】
【０００５】
【特許文献１】特開２０１２−２３４６６９号公報
【発明の概要】
【発明が解決しようとする課題】
【０００６】
しかしながら、この特許文献１に開示された構造の場合、防水の機能を果たすべき弾性部材に貫通孔が形成されていることから、防水の信頼性が確保できないおそれがある。特に、ピンを挿入するとその貫通孔が広がってしまい、ピンを抜いた後でその貫通孔を完全に閉鎖させるのは困難と考えられる。
【０００７】
本発明は、上記事情に鑑み、カードトレイを備えそのカードトレイに孔が設けられたタイプのカードコネクタにおいて、信頼性の高い防水構造を備えることを目的とする。
【課題を解決するための手段】
【０００８】
上記目的を達成する本発明のカードコネクタは、
カードを載せ、電子機器筐体の外壁面と内壁面とに貫通する差込口を通って挿入／取出しの向きに往復スライド自在であって、挿入時に電子機器筐体の外面の一部を成すカードトレイと、
電子機器筐体内部に配置され、カードトレイを受容する受容空間が形成されたハウジングと、
ハウジングに挿入／取出しの向きに往復スライド自在に支持されたスライドバーを含む、受容空間に受容された状態のカードトレイを取出しの向きに押し出すイジェクト機構とを備え、
上記カードトレイが、
カードを載せて受容空間に受容されるトレイ部と、そのトレイ部が受容空間に受容された状態において差込口内に位置し、このカードトレイを挿入の向きに見たときにトレイ部を覆うとともにスライドバーの前面にまで延び、スライドバーを挿入の向きに押すイジェクトピンが挿通するピン挿入孔が形成された立壁部とを有するトレイ本体と、
上記のピン挿入孔を塞ぐとともに立壁部周面を一周に亘って取り巻き、かつ、ピン挿入孔にイジェクトピンが挿入される際にイジェクトピンとスライドバーとの間に介在しつつイジェクトピンによるスライドバーの挿入の向きへの押込みを許容する防水部材とを備えたことを特徴とする。
【０００９】
本発明のカードコネクタは、ピン挿入孔を塞ぎ、かつ、立壁部周面を一周に亘って取り巻く防水部材を備えているため、信頼性の高い防水構造が実現する。また、この防水部材は、ピン挿入孔にイジェクトピンが挿入される際に、そのイジェクトピンとスライドバーとの間に介在しつつイジェクトピンによるスライドバーの押込みを許容するものである。このため、この防水部材を取り外すことなく、イジェクトピンによるカードトレイの取出しを可能としている。
【００１０】
ここで、本発明のカードコネクタにおいて、防水部材の、ピン挿入孔を塞ぐ部分が、立壁部前面からピン挿入孔内を挿入の向きに延びことでピン挿入孔に入り込み、ピン挿入孔の、半径方向中央に向かう向きに折り返して取出しの向きに延び、半径方向中央に向かう向きにさらに折り返し挿入の向きに延びてその挿入の向きに延びた先端が塞がれた蛇腹形状を成すことが好ましい。
【００１１】
防水部材の、ピン挿入孔を塞ぐ部分を上記の蛇腹形状とすることで、防水性能を維持しつつイジェクトピンを円滑に挿入することができる。
【００１２】
また、本発明のカードコネクタにおいて、上記の防水部材が、ピン挿入孔を塞いで立壁部前面全域を覆い、立壁部周面に折れ曲がってその立壁部周面を一周に亘って取り巻く形状を有することが好ましい。
【００１３】
防水部材を、上記のような、全域を覆うキャップ形状に形成すると、一層高い信頼性を持った防水構造が実現する。
【発明の効果】
【００１４】
以上の本発明によれば、信頼性の高い防水構造を備えたカードコネクタが実現する。
【図面の簡単な説明】
【００１５】
【図１】本発明の一実施形態としてのカードコネクタを搭載した電子機器の一例を示した斜視図である。
【図２】図１に示す電子機器の筐体の一部分とカードコネクタを構成するカードトレイを示した斜視図である。
【図３】カードトレイの分解斜視図である。
【図４】防水部材の、ピン挿入孔を塞いでいる部分に、イジェクトピンを差し込もうとしている様子を示した斜視図である。
【図５】回路基板に搭載された状態のカードコネクタの斜視図である。
【図６】回路基板に搭載された状態のカードコネクタの平面図である。
【図７】図１に示す矢印Ｘ−Ｘに沿った断面を示す斜視図である。
【図８】図７に示す円Ｃの部分の拡大図である。
【発明を実施するための形態】
【００１６】
以下、本発明の実施の形態について説明する。
【００１７】
図１は、本発明の一実施形態としてのカードコネクタを搭載した電子機器の一例を示した斜視図である。
【００１８】
ここでは、組み込まれたカードコネクタ１０があらわれるように、電子機器３０については、上半分を取り去って電子機器３０の内側を示している。また、電子機器については、スマートフォン等をイメージしているが、ここでは電子機器の種類やその内部の構成を問うものではなく、電子機器３０については概括的にそのプロフィールのみを示している。
【００１９】
この電子機器３０の筐体３１内には、回路基板２０が備えられており、カードコネクタ１０はその回路基板２０に搭載されている。
【００２０】
この図１に示すカードコネクタ１０は、金属シェル１１に覆われた最終形態のものである。
【００２１】
図２は、図１に示す電子機器の筐体の一部分とカードコネクタを構成するカードトレイを示した斜視図である。
【００２２】
また、図３は、カードトレイの分解斜視図である。
【００２３】
図２に示すように、電子機器３０の筐体３１の側面には、その筐体３１の外壁面３１ａと内壁面３１ｂとを貫通する差込口３２が形成されている。この差込口３２には、図１に示すカードコネクタ１０を構成するカードトレイ１２が取出し自在に差し込まれる。このカードトレイ１２は、図３に示すように、金属製のトレイ本体１２１とゴム製の防水部材１２２とを有する。さらに、トレイ本体１２１は、トレイ部１２１ａと立壁部１２１ｂとで構成されている。トレイ部１２１ａは、メモリカード４０を収容する凹部１２５を有し、メモリカード４０を載せて電子機器３０の筐体３１内に差し込まれる。
【００２４】
このトレイ部１２１ａが筐体３１内に差し込まれると、そのトレイ部１２１ａは、このカードコネクタ１０を構成するハウジング１３（図５，図６参照）に形成された受容空間１３１内に受容される。また、立壁部１２１ｂは、トレイ部１２１ａが受容空間１３１に受容された状態において、筐体３１に形成された差込口３２内に位置し、筐体３１の外面と面一になる。そして、この立壁部１２１ｂは、カードトレイ１２を挿入の向きに見たときに、トレイ部１２１ａを覆うとともに、ハウジング１３に支持されているスライドバー１４（図５，図６参照）の前面にまで広がっている。スライドバー１４は、挿入／取出しの向きに往復動自在にハウジング１３に支持されている。また、この立壁部１２１ｂには、ピン挿入孔１２１ｃ（図３参照）が形成されている。このピン挿入孔１２１ｃは、スライドバー１４に対応する位置に形成されていて、このピン挿入孔１２１ｃには、イジェクトピン５０（図４参照）が挿入される。ピン挿入孔１２１ｃにイジェクトピン５０が挿入されると、そのイジェクトピン５０により、スライドバー１４が挿入の向き（図５，図６に示す矢印Ｉの向き）に押されてスライドする。スライドバー１４が挿入の向きにスライドすると、後述する構成により、カードトレイ１２が、筐体３１から、取出しの向き（図５，図６に示す矢印Ｅの向き）に押し出される。
【００２５】
また、図３に示すように、このカードトレイ１２は、ゴム製の防水部材１２２を備えている。この防水部材１２２は、ピン挿入孔１２１ｃを塞いで立壁部１２１の前面の全域を覆っている。そして、この防水部材１２２は、立壁部１２１ｂの周面に折れ曲がってその立壁部１２１ｂの周面を一周に亘って取り巻いている。これにより、トレイ部１２１ａがハウジング１３の受容空間１３１（図５，図６参照）に受容された状態における立壁部１２１ｂの周面と差込口３２の内周面との隙間が埋められる。また、ピン挿入孔１３１ｃが塞がれている。これらの結果、差込口３２全域が防水される。図１および後述する図４に示すように、この防水部材１２２が被せられた立壁部１２１ｂは、カードトレイ１２が差込口３２に差し込まれた状態において、電子機器３０の筐体３１の外面の一部を成している。
【００２６】
図４は、防水部材の、ピン挿入孔を塞いでいる部分に、イジェクトピンを差し込もうとしている様子を示した斜視図である。
【００２７】
防水部材１２２は、立壁部１２１ｂのピン挿入孔１２１ｃ（図３参照）を塞いでいる。しかしながら、立壁部１２１ｂのピン挿入孔１２１ｃ（図３参照）を塞いでいる部分１２２ａをイジェクトピン５０で押すと、そのイジェクトピン５０は、ピン挿入孔１２１ｃ内に挿入される。イジェクトピン５０がピン挿入孔１２１ｃに挿入されると、防水部材１２２は、そのイジェクトピン５０とスライドバー１４（図５，図６参照）との間に介在しつつ、そのイジェクトピン５０による、スライドバー１４の挿入の向きへの押込みを許容する。この部分の具体的な構造の説明は後に譲る。
【００２８】
図５，図６は、回路基板に搭載された状態のカードコネクタの、それぞれ斜視図および平面図である。これらの図５，図６では、カードコネクタ１０の内部構造が示されるように、図１に示す金属シェル１１を取り除いて示している。
【００２９】
このカードコネクタ１０を構成するハウジング１３の受容空間１３１に、メモリカード４０を載せたカードトレイ１２が挿入されると、その受容空間１３１には、カードトレイ１２のトレイ本体１２１（図３参照）のトレイ部１２１ａが受容される。トレイ本体１２１の立壁部１２１ｂおよびその立壁部１２１ｂに被せられた防水部材１２２は、回路基板２０から食み出た位置に留まっている。これは、図１に示すように、回路基板２０が筐体３１内に搭載されたときに、立壁部１２１ｂおよび防水部材１２２を筐体３１の差込口３２内に位置させるためである。
【００３０】
カードコネクタ１０を構成しているハウジング１３の受容空間１３１の横には、挿入／取出しの向き（矢印Ｉ−Ｅ方向）に延びる、前述したスライドバー１４が備えられている。このスライドバー１４は、ハウジング１３に、その挿入／取出しの向き（矢印Ｉ−Ｅ方向）にスライド自在に支持されている。また、このハウジング１３の、矢印Ｉで示す挿入の向きの奥側には、横向きに延びるイジェクトレバー１５が備えられている。このイジェクトレバー１５は、その中央部１５１が、ハウジング１３に、矢印Ｒ１−Ｒ２の向きに回転自在に軸支されている。そして、そのイジェクトレバー１５の一方の端部１５２は、スライドバー１４に当接する位置にあり、もう一方の端部１５３は、カードトレイ１２の先端１２６に当接する位置にある。
【００３１】
カードトレイ１２が筐体３１の差込口３２（図２参照）から差し込まれてハウジング１３内に挿入の向きＩに沿って挿入されると、イジェクトレバー１５の、カードトレイ１２側の端部１５３がカードトレイ１２により押し込まれる。すると、イジェクトレバー１５が矢印Ｒ２の向きに回転する。すると、イジェクトレバー１５のスライドバー１４側の端部１５２によりスライドバー１４が押されて、そのスライドバー１４が取出しの向き（矢印Ｅの向き）にスライドする。このスライドバー１４は、取出しの向きにスライドすると、そのスライドバー１４の取出しの向きの前端が立壁部１２１ｂのピン挿入孔１２１ｃ（図３参照）の直ぐ奥に位置する。
【００３２】
カードトレイ１２が図５，図６に示すように挿入された状態において、立壁部１２１ｂのピン挿入孔１２１ｃ（防水部材１２２の、立壁部１２１ｂのピン挿入孔１２１ｃを覆う部分１２２ａ）にイジェクトピン５０を挿入する。すると、そのイジェクトピン５０との間に防水部材１２２を介在させて、スライドバー１４がイジェクトピン５０により押され、そのスライドバー１４が挿入の向き（矢印Ｉの向き）にスライドする。このスライドにより、そのスライドバー１４がイジェクトレバー１５の一方の端部１５２を押し、イジェクトレバー１５を矢印Ｒ１の向きに回転させる。すると、そのイジェクトレバー１５のもう一方の端部１５３がカードトレイ１２を取出しの向き（矢印Ｅの向き）に押し出す。これにより、このカードトレイ１２は、筐体３１から突き出た状態となる。その後は、指の爪を掛けたり、あるいはピンセット等の治具を用いてカードトレイ１２が引き出される。このように、本実施形態では、スライドバー１４とイジェクトレバー１５とで、カードトレイ１２を押し出すイジェクト機構が構成されている。
【００３３】
図７は、図１に示す矢印Ｘ−Ｘに沿った断面を示す斜視図である。また、図８は、図７に示す円Ｃの部分の拡大図である。これら図７，図８には、イジェクトピン５０も示されている。
【００３４】
特に図８にあらわれているように、防水部材１２２の、ピン挿入孔１２１ｃ（図３参照）を塞いでいる部分１２２ａは、蛇腹形状に形成されている。具体的には、この防水部材１２２の、ピン挿入孔１２１ｃを塞いでいる部分１２２ａは、図３に示す立壁部１２１ｂの前面からピン挿入孔１２１ｃ内に挿入の向き（矢印Ｉの向き）に延びることでピン挿入孔１２１ｃ内に入り込んだ第１部分１２２ｂを形成している。この防水部材１２２は、さらに、その第１部分１２２ｂからピン挿入孔１２１ｃの中心に向う向きに折り返して、今度は取出しの向き（矢印Ｅの向き）に延びる第２部分１２２ｃを形成している。この防水部材１２２は、さらに、その第２部分１２２ｃからピン挿入孔１２１ｃの中心に向かう向きに再び折り返して、再び挿入の向き（矢印Ｉの向き）に延びて先端が塞がれた第３部分１２２ｄを形成している。本実施形態では、この防水部材１２２の、ピン挿入孔１２１ｃを塞いでいる部分１２２ａは、上記の通りの第１〜第３の各部分１２２ｂ，１２２ｃ，１２２ｄからなる蛇腹形状を有する。
【００３５】
イジェクトピン５０が挿入されると、防水部材１２２の、ピン挿入孔１２１ｃを塞いでいる部分１２２ａは、この蛇腹形状を崩しながら挿入の向き（矢印Ｉの向き）に押し込まれてスライドバー１４を押し込む。ピン挿入孔１２１ｃからイジェクトピン５０が抜き取られると、防水部材１２２の弾性力で、ほぼ元の蛇腹形状に復帰する。あるいは、イジェクトピン５０を抜き取った時点では完全には元の蛇腹形状に復帰しなくても、カードトレイ１２が再び差し込まれた段階において、スライドバー１４により奥側から取出しの向き（矢印Ｅの向き）に押されて、元の蛇腹形状に復帰する。
【００３６】
ここで、本実施形態では、ピン挿入孔１２１ｃは丸孔であって、防水部材１２２の、ピン挿入孔１２１を塞いでいる部分１２２ａは同心形状の蛇腹となっている。ただし、同心形状である必要はなく、縦と横とで形状を異ならせた蛇腹あるいは波形であってもよい。すなわち、イジェクトピン５０が挿入されたときに伸びてスライドバー１４を押し、イジェクトピン５０を抜いたとき、あるいは、カードトレイ１２を再び差し込むことで元に戻る形状であればよい。あるいは、この防水部材１２２として、力を加えたときに大きく伸びるゴム材を使用し、そのゴム材の伸びだけでスライドバー１４を押す構成としてもよい。
【符号の説明】
【００３７】
１０      カードコネクタ
１１      金属シェル
１２      カードトレイ
１２１    トレイ本体
１２１ａ  トレイ部
１２１ｂ  立壁部
１２１ｃ  ピン挿入孔
１２２    防水部材
１２２ａ  防水部材の部分
１３      ハウジング
１３１    受容空間
１４      スライドバー
１５      イジェクトレバー
１５１    中央部
１５２，１５３  端部
２０      回路基板
３０      電子機器
３１      筐体
３１ａ    外壁面
３１ｂ    内壁面
３２      差込口
４０      メモリカード
５０      イジェクトピン
【図１】
2016031886.tif 000003
【図２】
2016031886.tif 000004
【図３】
2016031886.tif 000005
【図４】
2016031886.tif 000006
【図５】
2016031886.tif 000007
【図６】
2016031886.tif 000008
【図７】
2016031886.tif 000009
【図８】
2016031886.tif 000010